(57)【要約】【課題】前面グリルが、前面パネルに形成された吸入口の上部または下部が選択的に開放できるようにする空気調和機を提供する。【解決手段】本体と、本体の前面に取り付けられ空気が吸入される吸入口を備える前面パネルと、前記前面パネルに設けられ、前記吸入口を開閉する前面グリルと、前記本体に設けられ、前記吸入口を介して吸入される空気中の埃を捕捉するフィルタと、を含む空気調和機であって、前記前面グリルの後側に突設され、案内溝が形成された案内部材と、前記案内溝に挿入されて、空気調和機の動作時には前記吸入口の上側を開放するように前記案内部材を移動させ、前記フィルタを分離するときには前記吸入口の下側を開放するように前記案内部材を回動させるピニオンと、を備える。これによって、前面パネルに形成される吸入口の上側または下側を選択的に開閉することができる。【選択図】図３
2008116189.tif 000002
【特許請求の範囲】
【請求項１】
本体と、
本体の前面に取り付けられ、空気が吸入される吸入口を備える前面パネルと、
前記前面パネルに設けられ、前記吸入口を開閉する前面グリルと、
前記本体に設けられ、前記吸入口を介して吸入される空気中の埃を捕捉するフィルタと、を含む空気調和機であって、
前記前面グリルの後側に突設され、案内溝が形成された案内部材と、
前記案内溝に挿入されて、空気調和機の動作時には前記吸入口の上側を開放するように前記案内部材を移動させ、前記フィルタを分離するときには前記吸入口の下側を開放するように前記案内部材を回動させるピニオンと、
を備えることを特徴とする空気調和機。
【請求項２】
前記案内溝は、
ラックギアが形成されたラックギア部と、
前記ラックギア部の一側から延在する円筒部挿入部と、を備え、
前記ピニオンは、
前記ラックギアと噛み合って前記案内部材を移動させるギア部と、
前記円筒部挿入部に挿入されて前記案内部材と密着する円筒部と、
を備えることを特徴とする請求項１記載の空気調和機。
【請求項３】
前記円筒部挿入部は、前記案内溝に沿って前記案内部材の一側に突設されたリブにより形成されることを特徴とする請求項２記載の空気調和機。
【請求項４】
前記リブは、前記円筒部が前記円筒部挿入部に挿入された際、前記ピニオンの回動により前記案内部材も回動するように、前記円筒部と前記リブとを密着させる弾性部材で形成されることを特徴とする請求項３記載の空気調和機。
【請求項５】
前記案内部材の下部には、前記案内部材が前記ピニオンにより移動する際、前記案内部材の下側が移動されることを防止するように、前記前面パネルの内側の下部に係止される係止突起が形成されることを特徴とする請求項１記載の空気調和機。
【請求項６】
前記案内溝は、前記係止突起を中心とする略円弧状に形成されることを特徴とする請求項５記載の空気調和機。
【請求項７】
前記前面パネルには前記案内部材が通過して案内される通過ホールが形成されることを特徴とする請求項１記載の空気調和機。
【請求項８】
本体と、
本体の前面に取り付けられ空気が吸入される吸入口を備える前面パネルと、
前記前面パネルに設けられ、前記吸入口を開閉する前面グリルと、
前記本体に設けられ、前記吸入口を介して吸入される空気中の埃を捕捉するフィルタと、を含む空気調和機であって、
前記前面パネルに形成された通過ホールと、
前記前面グリルから後側に延在し、前記通過ホールを通過して案内される案内部材と、
前記案内部材に形成された案内溝と、
前記本体に設けられる駆動モータと、
前記駆動モータにより駆動されると共に前記案内溝に挿入されて、前記案内部材を前後方向に移動させたり前記案内部材を上下方向に回動させるピニオンと、
を備えることを特徴とする空気調和機。
【請求項９】
前記案内溝は、
前記案内部材が移動する際、前記ピニオンと噛み合うラックギアと、
前記案内部材が回動する際、前記ピニオンが挿入される円筒部挿入部と、
を備えることを特徴とする請求項８記載の空気調和機。
【請求項１０】
前記ピニオンは、
前記ラックギアと噛み合って前記案内部材を移動させるギア部と、
前記円筒部挿入部に挿入されて前記案内部材を回動させる円筒部と、
を備えることを特徴とする請求項９記載の空気調和機。
【発明の詳細な説明】
【技術分野】
【０００１】
本発明は、空気調和機に関し、より詳しくは、空気調和機の前面グリルが前面パネルに形成された吸入口の上側または下側が選択的に開放できるようにした空気調和機に関する。
【背景技術】
【０００２】
特許文献１には、壁に掛けることができる壁掛け型空気調和機の室内機（以下、「空気調和機」と称する）が開示されている。前記空気調和機は、前面が開放された本体と、開放された本体の前面に取り付けられる前面パネルにより略ボックス形状の外観をなしている。前面パネルの前面には室内空気を本体に吸入するための吸入口が形成され、前記吸入口は前面パネルとヒンジ結合される前面グリルにより開閉され、本体には前記吸入口を介して吸入される空気中の埃を捕捉するためのフィルタが設けられる。
【０００３】
空気調和機の作動が停止するときには、前面グリルが前面パネルの前面に形成された吸入口を閉鎖して外観が見苦しくならないようにし、空気調和機が作動するときには前面グリルが前面パネルの前面に形成された吸入口を開放して本体の内部に吸入される空気の流量を確保する。
【０００４】
一方、前面グリルが前面パネルに形成された吸入口を開閉するようにモータとリンク装置が使用されている。このリンク装置は、モータ軸と結合される主動リンクと、一側は前記主動リンクと結合され、他側は前記前面グリルと結合される被動リンクで構成されている。これにより、モータが回動して主動リンクが被動リンクを押すと前面グリルが開放され、主動リンクが被動リンクを引けば前面グリルが閉鎖されるようになっている。
【０００５】
しかしながら、前記のような従来の空気調和機は、前面パネルに形成された吸入口の上側のみが開放されるため、本体に設けられるフィルタの着脱が困難であり、フィルタの清掃も困難であった。
【０００６】
また、前面グリルの開閉に前記のようなリンク装置を使用した場合、リンクが開いたり畳まれる動作を行うため、前面グリルの開閉動作がスムーズに行えなかった。
【特許文献１】大韓民国公開特許公報２００３−８３１８７号
【発明の開示】
【発明が解決しようとする課題】
【０００７】
本発明の目的は、必要に応じて前面グリルが前面パネルに形成された吸入口の上部または下部を選択的に開放するようにすることで、使用者の便宜を確保する空気調和機を提供することにある。
【０００８】
本発明の他の目的は、前面グリルの開閉動作がスムーズな空気調和機を提供することにある。
【課題を解決するための手段】
【０００９】
前記の目的を達成するための本発明に係る空気調和機は、本体と、本体の前面に取り付けられ空気が吸入される吸入口を備える前面パネルと、前記前面パネルに設けられ、前記吸入口を開閉する前面グリルと、前記本体に設けられ、前記吸入口を介して吸入される空気中の埃を捕捉するフィルタと、を含む空気調和機であって、前記前面グリルの後側に突設され、案内溝が形成された案内部材と、前記案内溝に挿入されて、空気調和機の動作時には前記吸入口の上側を開放するように前記案内部材を移動させ、前記フィルタを分離するときには前記吸入口の下側を開放するように前記案内部材を回動させるピニオンと、を備える。
【００１０】
また、前記案内溝は、ラックギアが形成されたラックギア部と、前記ラックギア部の一側から延在する円筒部挿入部と、を備え、前記ピニオンは、前記ラックギアと噛み合って前記案内部材を移動させるギア部と、前記円筒部挿入部に挿入されて前記案内部材と密着する円筒部と、を備える。
【００１１】
また、前記円筒部挿入部は、前記案内溝に沿って前記案内部材の一側に突設されたリブにより形成される。
【００１２】
また、前記リブは前記円筒部が前記円筒部挿入部に挿入された際、前記ピニオンの回動により前記案内部材も回動するように、前記円筒部と前記リブとを密着させるゴムのような弾性部材で形成される。
【００１３】
また、前記案内部材の下部には、前記案内部材が前記ピニオンにより移動する際、前記案内部材の下側が移動されることを防止するように、前記前面パネルの内側の下部に係止される係止突起が形成される。
【００１４】
また、前記案内溝は、前記係止突起を中心とする略円弧状に形成されている。
【００１５】
また、前記前面パネルには前記案内部材が通過して案内される通過ホールが形成される。
【００１６】
前記の目的を達成するための本発明に係る空気調和機は、本体と、本体の前面に取り付けられ空気が吸入される吸入口を備える前面パネルと、前記前面パネルに設けられ、前記吸入口を開閉する前面グリルと、前記本体に設けられ、前記吸入口を介して吸入される空気中の埃を捕捉するフィルタと、を含む空気調和機であって、前記前面パネルに形成された通過ホールと、前記前面グリルから後側に延在し、前記通過ホールを通過して案内される案内部材と、前記案内部材に形成された案内溝と、前記本体に設けられる駆動モータと、前記駆動モータにより駆動されると共に前記案内溝に挿入されて、前記案内部材を前後方向に移動させたり前記案内部材を上下方向に回動させるピニオンと、を備える。
【００１７】
また、前記案内溝は、前記案内部材が移動する際、前記ピニオンと噛み合うラックギアと、前記案内部材が回動する際、前記ピニオンが挿入される円筒部挿入部と、を備える。
【００１８】
また、前記ピニオンは、前記ラックギアと噛み合って前記案内部材を移動させるギア部と、前記円筒部挿入部に挿入されて前記案内部材を回動させる円筒部と、を備える。
【発明の効果】
【００１９】
以上、前述したように、本発明に係る空気調和機によれば、空気調和機の動作時には前面パネルに形成された吸入口の上側を開放して外観が見苦しくならないようにしつつ、本体の内部に吸入される空気の量を増やすことができ、本体からフィルタを分離しなければならない場合には、前面パネルに形成された吸入口の下側を開放することによって、使用者が容易にフィルタを着脱することができる。
【００２０】
また、前面グリルを開閉するために、リンクではなく、ピニオンとラックギアを使用することによって、前面グリルの開閉動作をスムーズに行える。
【発明を実施するための最良の形態】
【００２１】
以下、本発明の好ましい一実施形態に係る空気調和機について、添付した図面を参照しつつ詳細に説明する。
【００２２】
図１は本発明の一実施形態に係る空気調和機の斜視図であり、図２は図１に図示された空気調和機の断面図である。
【００２３】
図１及び図２に示すように、本発明の一実施形態に係る空気調和機は、前面が開放された本体１０と、前記本体１０の開放された前面に取り付けられた前面パネル２０を備えており、全体的に略ボックス形状の外観をなしている。
【００２４】
前面パネル２０には空気を吸入するための吸入口が形成されており、本体１０の内部には前面パネル２０に吸入される空気から埃などの汚染物質を捕捉するためのフィルタ１４が設けられる。前面パネル２０の後方には室内空気を吸入するための吸入力を発生させる送風ファン１５と室内空気を熱交換する熱交換器１６が設けられている。したがって、室内空気を吸入した後、吸入された室内空気を熱交換して冷房または暖房をするようになる。
【００２５】
本体１０の上部と下部には、空気を本体１０の内部に吸入させるための第１吸入口１１と、本体１０の内部で熱交換された空気を排出させるための吐出口１２が各々形成される。
【００２６】
前面パネル２０の吸入口が露出されることにより、第１吸入口１１と共に室内空気を本体１０の内部に流入させるための第２吸入口２１が形成され、この第２吸入口２１を開閉するための前面グリル３０が設けられている。
【００２７】
本発明に係る空気調和機は前面グリル開閉装置４０を備えており、この前面グリル開閉装置４０により、空気調和機が作動しないときには前面グリル３０が第２吸入口２１を閉鎖するようにし、空気調和機を作動させたりフィルタを交換するときには、前面グリル３０が第２吸入口２１の上側または下側を選択的に開放するように構成されている。
【００２８】
前面グリル開閉装置４０は、図３に示すように、本体１０に設けられる駆動モータ４１と、前面グリル３０の後側に突出して駆動モータ４１が回動することによって、前面パネル２０に形成された第２吸入口２１の上側または下側が開放されるように案内する案内部材５０とを備える。
【００２９】
駆動モータ４１のモータ軸４１ａには第１ギア４２が結合されてモータ軸４１ａが回動することにより回動する。また、第１ギア４２と噛み合って駆動モータ４１から動力の伝達を受ける第２ギア４３が設けられている。第２ギア４３には本体１０に支持されて回動する回動軸４４が結合されており、第２ギア４３が回動することにより回動軸４４も共に回動する。
【００３０】
また、回動軸４４の一端には、回動軸４４と連動して回動するピニオン４５が設けられている。ピニオン４５は、ギアが形成されているギア部４５ａと、ギアが形成されていない円筒部４５ｂとを備えている。
【００３１】
案内部材５０は曲線部を有するプレートであって、前面パネル２０に形成された通過ホール２２を介して支持されており、案内部材５０の下側には案内部材５０が通過ホール２２から離脱しないようにするための係止突起５１が設けられている。
【００３２】
一方、案内部材５０には前記ピニオン４５が挿入されて案内される案内溝５２が形成されている。案内溝５２の上部にはラックギア部５３が形成されており、このラックギア部５３には、ピニオン４５のギア部４５ａと噛み合うラックギア５３ａが形成されているが、案内溝５２の下部は滑らかな面とされている。
【００３３】
案内溝５２は案内部材５０の下部に形成された係止突起５１を中心とする略円弧状に形成されている。この案内溝５２の一端には、ラックギア部５３から延在する円筒部４５ｂを挿入するための円筒部挿入部５５が形成されている。この円筒部挿入部５５は、案内溝５２に沿って案内部材５０の一側に突設されたリブ５６を備えている。このリブ５６は、ピニオン４５の円筒部４５ｂが円筒部挿入部５５に挿入されるとき、弾性により円筒部４５ｂと密着することによって、円筒部４５ｂと大きい摩擦力を発生させることができるゴムのような部材で形成することが好ましい。
【００３４】
以下、前記のように構成された前面グリル開閉装置の動作について説明する。
【００３５】
空気調和機が動作され、前面グリル３０が第２吸入口２１の上側を開放しなければならない場合、駆動モータ４１は第１ギア４２を図２に図示されたＡ方向に回動させる。すると、第１ギア４２と噛み合った第２ギア４３はＣ方向に回動することになる。第２ギア４３が、Ｃ方向に回動することにより、第２ギア４３と共に回動する回動軸４４もＣ方向に回動することになり、これによって、回動軸４４の一端に結合されたピニオン４５はラックギア５３を空気調和機の前方側に移動させる。ラックギア５３が前方側に移動すれば案内部材５０は徐々に通過ホール２２を通じて前面側に露出するので、前面グリル３０は係止突起５１を中心に回動し、前面グリル３０は、図４に示すように、前面パネル２０に形成された第２吸入口２１の上側を開放することになる。
【００３６】
このように、前面グリル３０が第２吸入口２１を開放することによって、空気調和機の動作時に多量の空気が吸入できるので、空気調和機の効率が高まることになる。
【００３７】
一方、空気調和機を使用するにつれて、本体１０に装着されたフィルタ１４に埃が堆積するので、フィルタ１４を清掃しなければならない。壁掛け型空気調和機は通常は壁面の高い所に設けられるので、フィルタ１４を本体１０から容易に取り外すためには、前面グリル３０が前面パネル２０に形成された第２吸入口２１の下側を開放することが好ましい。
【００３８】
このような第２吸入口２１の下側の開放は以下のようにして行われる。図４の状態から、駆動モータ４１をＡ方向（図４における反時計方向。従ってピニオン４５は図４における時計方向に回動される。）に更に回動させると、図５に示すように、ピニオン４５の円筒部４５ｂは円筒部挿入部５５に挿入される。このとき、リブ５６によって円筒部４５ｂが強く圧迫されることになるので、円筒部４５ｂとリブ５６との間には大きな摩擦力が発生する。次いで、円筒部４５ｂが摩擦力を生じつつ円筒部挿入部５５に挿入された状態で、駆動モータ４１をＢ方向に回動させる。駆動モータ４１がＢ方向（図５における時計方向。従ってピニオン４５は図５における反時計方向に回動される。）に回動させると、案内部材５０は回動軸４４を中心に上側（図５における反時計方向）に回動することになる。この際、係止突起５１は前面パネル２０から離脱し、通過ホール２２を通過する。
【００３９】
このように、案内部材５０が回動軸４４を中心にして上側に回動すれば、図６に示すように、第２吸入口２１の下側が開放される。これによって、使用者は第２吸入口２１を介して本体１０に装着されたフィルタ１４を容易に取り外すことができる。
【図面の簡単な説明】
【００４０】
【図１】本発明の一実施形態に係る空気調和機の斜視図である。
【図２】図１に図示された空気調和機の断面図である。
【図３】図１に図示された空気調和機のうち、前面パネルの後側面図である。
【図４】本発明に係る空気調和機の作動状態を示す作動図である。
【図５】本発明に係る空気調和機の作動状態を示す作動図である。
【図６】本発明に係る空気調和機の作動状態を示す作動図である。
【符号の説明】
【００４１】
１０  本体
１１  第１吸入口
１４  フィルタ
２０  前面パネル
２１  第２吸入口
２２  通過ホール
３０  前面グリル
４０  前面グリル開閉装置
４１  駆動モータ
４２、４３  第１、２ギア
４４  回動軸
４５  ピニオン
４５ａ  ギア部
４５ｂ  円筒部
５０  案内部材
５１  係止突起
５２  案内溝
５３  ラックギア部
５５  円筒部挿入部
５６  リブ
【図１】
2008116189.tif 000003
【図２】
2008116189.tif 000004
【図３】
2008116189.tif 000005
【図４】
2008116189.tif 000006
【図５】
2008116189.tif 000007
【図６】
2008116189.tif 000008